(57)【要約】【課題】連帳紙の画像を安定的に高精度に読み取ることができるようにすることである。【解決手段】画像読取装置３によれば、制御部３１は、搬送部材３３３〜３３７及び校正部材３８を移動させることにより、読取位置ＲＰにおいて、連帳紙Ｐが読取部３２に直接対向する第１の配置と、連帳紙Ｐが読取部３２から離隔し校正部材３８が読取部３２と連帳紙Ｐとの間に位置して読取部３２に直接対向する第２の配置と、を切り替え制御する。また、読取部３２の連帳紙Ｐの搬送方向上流側と下流側に、読取部３２の読取面ＲＳと平行に配置され、第１の配置の状態において読取部３２側から連帳紙Ｐにテンションをかけて読取位置ＲＰを通過する連帳紙Ｐの読取部３２側の紙面を読取面ＲＳに位置させる押し当て部材３２４ａ、３２４ｂを備える。【選択図】図３
2020061623.tif 000002
【特許請求の範囲】
【請求項１】
画像が形成された連帳紙を読み取る読取部と、
前記連帳紙を前記読取部と対向する読取位置に搬送する搬送部材と、
前記読取部と対向する読取位置に移動可能な校正部材と、
前記搬送部材及び前記校正部材を移動させることにより、前記読取位置において、前記連帳紙が前記読取部に直接対向する第１の配置と、前記連帳紙が前記読取部から離隔し前記校正部材が前記読取部と前記連帳紙との間に位置して前記読取部に直接対向する第２の配置と、を切り替え制御する制御部と、
前記読取部の前記連帳紙の搬送方向上流側と下流側に、前記読取部の読取面と平行に配置され、前記第１の配置の状態において前記読取部側から前記連帳紙にテンションをかけて前記読取位置を通過する連帳紙の前記読取部側の紙面を前記読取部による読取面に位置させる押し当て部材と、
を備える画像読取装置。
【請求項２】
前記第１の配置において、前記押し当て部材に隣接する搬送部材が前記読取面に対して前記押し当て部材と同じ側に位置し、かつ前記押し当て部材に隣接する搬送部材の前記連帳紙に接する位置が前記押し当て部材の前記連帳紙に接する位置よりも前記読取面から離れた側に位置する請求項１に記載の画像読取装置。
【請求項３】
前記押し当て部材は、前記読取位置の前記連帳紙の搬送方向上流側の第１の押し当て部材と、前記読取位置の前記連帳紙の搬送方向下流側の第２の押し当て部材を有し、
前記制御部は、前記第１の配置から前記第２の配置に切り替える際に、前記搬送部材の移動方向が、前記第１の配置において、前記第１の押し当て部材に隣接する搬送部材と前記第１の押し当て部材の共通内接線のうち前記第１の押し当て部材の先端側に延びる接線の方向と、前記第２の押し当て部材に隣接する搬送部材と前記第２の押し当て部材の共通内接線のうち前記第２の押し当て部材の先端側に延びる接線の方向との間の方向となるように制御する請求項１又は２に記載の画像読取装置。
【請求項４】
前記搬送部材は、複数の移動可能な搬送部材により構成される可動部を有し、
前記可動部の全ての搬送部材は、同一方向に移動可能に構成されている請求項１〜３のいずれか一項に記載の画像読取装置。
【請求項５】
前記制御部は、前記第１の配置と前記第２の配置との切り替え開始から終了までの間、少なくとも前記可動部に対して前記連帳紙の搬送方向上流側に隣接する搬送部材から前記可動部に対して前記連帳紙の搬送方向下流側に隣接する搬送部材までの用紙経路長が略同一となるように、前記可動部内の搬送部材を移動させる請求項４に記載の画像読取装置。
【請求項６】
前記可動部の搬送部材は、前記読取面からの距離が第１の距離である第１の搬送部材と、前記読取面からの距離が前記第１の距離より長い第２の距離である第２の搬送部材により構成され、
前記制御部は、前記第１の搬送部材の移動量が、前記第２の搬送部材の移動量の２倍となるように制御する請求項５に記載の画像読取装置。
【請求項７】
前記制御部は、前記搬送部材により前記連帳紙を搬送しながら前記第１の配置と前記第２の配置を切り替える請求項１〜６のいずれか一項に記載の画像読取装置。
【請求項８】
前記校正部材は、前記第１の配置において前記読取部に対して前記搬送方向上流側又は下流側に前記読取面と平行に配置され、
前記制御部は、前記第１の配置の状態から前記搬送部材を移動させて前記連帳紙を前記読取部から離隔させた後、前記校正部材を前記読取部と対向する位置に平行移動させることにより前記第２の配置に切り替える請求項１〜７のいずれか一項に記載の画像読取装置。
【請求項９】
前記第１の配置において前記連帳紙を介して前記読取部と対向する位置に配置される白色の背景部材を備え、前記背景部材と前記連帳紙との距離は可変可能に構成されている請求項１〜８のいずれか一項に記載の画像読取装置。
【請求項１０】
連帳紙に画像を形成する画像形成部と、
請求項１〜９のいずれか一項に記載の画像読取装置と、
を備える画像形成装置。
【発明の詳細な説明】
【技術分野】
【０００１】
本発明は、画像読取装置及び画像形成装置に関する。
【背景技術】
【０００２】
近年、従来の大量印刷に比べ多品種・小ロットの印刷ジョブが増え続け、短納期でのオーダーに応える必要がある。中小規模のラベル市場においても、デジタルプロダクションプリンターをエンジンとし、多品種、小ロットの生産が求められ、安定した品質の印刷物が要求される。そこで、デジタルプリンターでプリントされた用紙画像の色、位置、倍率等を画像読取装置で読み取り、読取情報からデジタルプリンターへの補正量をフィードバックする画像読取装置が提案されている。画像読取装置は、例えば、用紙に光を照射する光源と用紙の反射光の情報を読み取るラインセンサーを備えたスキャナーを有し、用紙搬送方向の読取位置において、読取位置に直交する横幅（ライン）の情報を読み取り、用紙搬送部の送りによって用紙の送り方向の読み取りを可能にしている。スキャナーでは、安価にかつ、測色計に比べて速いスピードで広範囲の画像を読み取ることができる。
【０００３】
画像読取装置による読み取りを精度の高いものとするためには、画像読取装置の色校正（光源の光量ムラやＣＣＤセンサーの感度ムラを均一化するための校正）が必要となる。色校正では、画像読取装置の読取部に対向する位置に校正部材を配置し、画像読取装置で校正部材を読み取った情報に基づいて校正値の算出を行う。
【０００４】
一般的に、校正部材は用紙の読取位置に配置している場合が多く、用紙が規定サイズにカットされたカット紙を用いるジョブの場合は、ジョブの合間（ジョブ間）に校正を行うことが可能である。しかし、長尺紙などの連帳紙では、ジョブ間も用紙で校正部材を遮るため、簡単に色校正を行うことができないという問題がある。一方で、ユーザーの多くは、一度運転を始めたら最終巻き上げまで印刷することを求める。途中で停止した場合、印字部を繋げる貼り合わせ作業が発生したり、印字前の余白部による無駄（ヤレ紙）が発生したりするためである。
【０００５】
そこで、例えば、特許文献１には、長尺紙を用いる画像形成装置において、画像読取部の校正（キャリブレーション）を可能とするために、搬送部材により、長尺紙が画像読取部と背景部材間を通過し、色見本部材と画像読取部間を回避するように長尺紙を搬送し、画像読取部を移動するか、背景部材、色見本部材及び搬送部材を移動することにより、画像読取部と背景部材が長尺紙を介して対向する第１の配置と、画像読取部と色見本部材（校正部材）が対向する第２の配置とを切り替えることが記載されている。
【先行技術文献】
【特許文献】
【０００６】
【特許文献１】特開２０１７−１１２４５１号公報
【発明の概要】
【発明が解決しようとする課題】
【０００７】
ところで、画像読取装置において画像の色を安定的に精度よく読み取るには、画像読取装置の色校正を定期的に行うとともに、画像読取装置の焦点位置の垂直方向±1ｍｍの範囲内の精度での読み取りが要求される。しかしながら、特許文献１に記載の構成では、読取位置で用紙のばたつきが垂直方向に発生し、画像読取装置の露光部の反射光量の変化で色差が大きく発生してしまう可能性がある。また、用紙の厚さによって読取位置での用紙面の垂直方向の位置が異なってしまう。そのため、連帳紙の画像を高精度に読み取ることができない。
【０００８】
本発明の課題は、連帳紙の画像を安定的に高精度に読み取ることができるようにすることである。
【課題を解決するための手段】
【０００９】
上記課題を解決するため、請求項１に記載の発明の画像読取装置は、
画像が形成された連帳紙を読み取る読取部と、
前記連帳紙を前記読取部と対向する読取位置に搬送する搬送部材と、
前記読取部と対向する読取位置に移動可能な校正部材と、
前記搬送部材及び前記校正部材を移動させることにより、前記読取位置において、前記連帳紙が前記読取部に直接対向する第１の配置と、前記連帳紙が前記読取部から離隔し前記校正部材が前記読取部と前記連帳紙との間に位置して前記読取部に直接対向する第２の配置と、を切り替え制御する制御部と、
前記読取部の前記連帳紙の搬送方向上流側と下流側に、前記読取部の読取面と平行に配置され、前記第１の配置の状態において前記読取部側から前記連帳紙にテンションをかけて前記読取位置を通過する連帳紙の前記読取部側の紙面を前記読取部による読取面に位置させる押し当て部材と、
を備える。
【００１０】
請求項２に記載の発明は、請求項１に記載の発明において、
前記第１の配置において、前記押し当て部材に隣接する搬送部材が前記読取面に対して前記押し当て部材と同じ側に位置し、かつ前記押し当て部材に隣接する搬送部材の前記連帳紙に接する位置が前記押し当て部材の前記連帳紙に接する位置よりも前記読取面から離れた側に位置する。
【００１１】
請求項３に記載の発明は、請求項１又は２に記載の発明において、
前記押し当て部材は、前記読取位置の前記連帳紙の搬送方向上流側の第１の押し当て部材と、前記読取位置の前記連帳紙の搬送方向下流側の第２の押し当て部材を有し、
前記制御部は、前記第１の配置から前記第２の配置に切り替える際に、前記搬送部材の移動方向が、前記第１の配置において、前記第１の押し当て部材に隣接する搬送部材と前記第１の押し当て部材の共通内接線のうち前記第１の押し当て部材の先端側に延びる接線の方向と、前記第２の押し当て部材に隣接する搬送部材と前記第２の押し当て部材の共通内接線のうち前記第２の押し当て部材の先端側に延びる接線の方向との間の方向となるように制御する。
【００１２】
請求項４に記載の発明は、請求項１〜３のいずれか一項に記載の発明において、
前記搬送部材は、複数の移動可能な搬送部材により構成される可動部を有し、
前記可動部の全ての搬送部材は、同一方向に移動可能に構成されている。
【００１３】
請求項５に記載の発明は、請求項４に記載の発明において、
前記制御部は、前記第１の配置と前記第２の配置との切り替え開始から終了までの間、少なくとも前記可動部に対して前記連帳紙の搬送方向上流側に隣接する搬送部材から前記可動部に対して前記連帳紙の搬送方向下流側に隣接する搬送部材までの用紙経路長が略同一となるように、前記可動部内の搬送部材を移動させる。
【００１４】
請求項６に記載の発明は、請求項５に記載の発明において、
前記可動部の搬送部材は、前記読取面からの距離が第１の距離である第１の搬送部材と、前記読取面からの距離が前記第１の距離より長い第２の距離である第２の搬送部材により構成され、
前記制御部は、前記第１の搬送部材の移動量が、前記第２の搬送部材の移動量の２倍となるように制御する。
【００１５】
請求項７に記載の発明は、請求項１〜６のいずれか一項に記載の発明において、
前記制御部は、前記搬送部材により前記連帳紙を搬送しながら前記第１の配置と前記第２の配置を切り替える。
【００１６】
請求項８に記載の発明は、請求項１〜７のいずれか一項に記載の発明において、
前記校正部材は、前記第１の配置において前記読取部に対して前記搬送方向上流側又は下流側に前記読取面と平行に配置され、
前記制御部は、前記第１の配置の状態から前記搬送部材を移動させて前記連帳紙を前記読取部から離隔させた後、前記校正部材を前記読取部と対向する位置に平行移動させることにより前記第２の配置に切り替える。
【００１７】
請求項９に記載の発明は、請求項１〜８のいずれか一項に記載の発明において、
前記第１の配置において前記連帳紙を介して前記読取部と対向する位置に配置される白色の背景部材を備え、前記背景部材と前記連帳紙との距離は可変可能に構成されている。
【００１８】
請求項１０に記載の発明の画像形成装置は、
連帳紙に画像を形成する画像形成部と、
請求項１〜９のいずれか一項に記載の画像読取装置と、
を備える。
【発明の効果】
【００１９】
本発明によれば、連帳紙の画像を高精度に読み取ることが可能となる。
【図面の簡単な説明】
【００２０】
【図１】画像形成装置の概略構成を示す図である。
【図２】画像形成装置の主要な機能構成を示すブロック図である。
【図３】（ａ）は、画像読取装置の第１の配置を示す図、（ｂ）は、画像読取装置の第２の配置を模式的に示す図である。
【図４】搬送部材及び背景部材の移動方向を説明するための図である。
【図５】画像読取装置の第１の配置と第２の配置の他の例を示す図である。
【図６】図２の制御部により実行される搬送制御処理を示すフローチャートである。
【図７】背景部材の配置を説明するための図である。
【発明を実施するための形態】
【００２１】
以下、本実施形態を図面に基づいて詳細に説明する。ただし、発明の範囲は図示例に限定されない。
【００２２】
（画像形成装置１００の構成）
図１は、本発明の実施形態の画像形成装置１００を正面から見た全体構成例を示す図である。図２は、画像形成装置１００の制御系の主要部を示す図である。画像形成装置１００は、ロール状の連帳紙Ｐ上に画像を形成する装置である。
【００２３】
図１に示すように、画像形成装置１００は、連帳紙Ｐの搬送方向（用紙搬送方向）に沿って上流側から、給紙装置１、本体部２、画像読取装置３、巻き取り装置４が接続されて構成されている。
【００２４】
給紙装置１は、連帳紙Ｐを本体部２へ給紙する装置である。給紙装置１は、支持軸Ｘに巻回された連帳紙Ｐを、例えば、繰り出しローラー、給紙ローラー等の複数の搬送ローラー対を経由して、一定の速度で本体部２へ搬送する。給紙装置１の給紙動作は、本体部２が備える制御部２１によって制御される。
【００２５】
本体部２は、電子写真プロセス技術を利用した中間転写方式で画像形成を行う。
図２に示すように、本体部２は、制御部２１、画像処理部２２、画像形成部２３、用紙搬送部２４、記憶部２５、操作表示部２６、通信部２７、通信Ｉ／Ｆ部２８等を備えて構成され、各部はバス２９により接続されている。
【００２６】
制御部２１は、ＣＰＵ（Central Processing Unit）、ＲＯＭ（Read Only Memory）、ＲＡＭ（Random Access Memory）等を備える。制御部２１のＣＰＵは、ＲＯＭから処理内容に応じたプログラムを読み出してＲＡＭに展開し、展開したプログラムと協働して本体部２の各ブロックや、給紙装置１、画像読取装置３、巻き取り装置４等の動作を集中制御する。
【００２７】
画像処理部２２は、通信部２７等を介して入力されたジョブの画像データに、濃度補正処理、ラスタライズ処理、色変換処理、中間調処理等の画像処理を施して画像形成部２３に出力する。
【００２８】
画像形成部２３は、Ｙ（イエロー）、Ｍ（マジェンタ）、Ｃ（シアン）、及びＫ（黒）の色成分に各々対応する４組の露光部２ａ、感光体２ｂ、現像部２ｃ、帯電部２ｄ、クリーニング部２ｅ、一次転写ローラー２ｆと、中間転写体２０１、二次転写ローラー２０２、定着部２０３とを備えて構成されている。画像形成部２３は、入力された画像データに基づいて、各色の感光体２ｂ上に各色トナー像を形成して順次中間転写体２０１に一次転写して４色のトナー像を重ね合わせた後、二次転写ローラー２０２により給紙装置１から給紙された連帳紙Ｐにトナー像を二次転写することにより、連帳紙Ｐに画像を形成する。そして、形成された画像を定着部２０３により連帳紙Ｐに定着させる。
【００２９】
用紙搬送部２４は、複数の搬送ローラー及びその駆動源を有し、給紙装置１から搬送されてきた連帳紙Ｐを搬送する。
【００３０】
記憶部２５は、例えば、不揮発性の半導体メモリ（いわゆるフラッシュメモリ）やハードディスクドライブ等により構成される。記憶部２５は、入力されたジョブの画像データやジョブの設定情報等を記憶する。なお、これらのデータ等は制御部２１のＲＡＭに記憶されても良い。
【００３１】
操作表示部２６は、例えばタッチパネル付の液晶ディスプレイ（ＬＣＤ：Liquid Crystal Display）で構成され、表示部２６１及び操作部２６２として機能する。
表示部２６１は、制御部２１から入力される表示制御信号に従って、各種操作画面、画像の状態、各機能の動作状況等の表示を行う。
操作部２６２は、テンキー、スタートキー等の各種操作キーを備え、ユーザーによる各種入力操作を受け付けて、操作信号を制御部２１に出力する。
【００３２】
通信部２７は、例えばＬＡＮ（Local Area Network）カード等の通信制御カードで構成され、ＬＡＮ、ＷＡＮ（Wide Area Network）等の通信ネットワークに接続された外部装置（例えばパーソナルコンピューター）との間で各種データの送受信を行う。
【００３３】
通信Ｉ／Ｆ部２８は、給紙装置１、画像読取装置３、巻き取り装置４に接続するための通信インターフェースを有する。
【００３４】
画像読取装置３は、本体部２により画像が形成された連帳紙Ｐを読み取って読取画像を取得する。画像読取装置３は、図２に示すように、制御部３１、読取部３２、用紙搬送部３３、駆動部３４、記憶部３５、通信Ｉ／Ｆ部３６等を備えて構成され、各部はバス３７により接続されている。また、画像読取装置３は、校正部材３８、背景部材３９を備えている。
【００３５】
制御部３１は、ＣＰＵ（Central Processing Unit）、ＲＯＭ（Read Only Memory）、ＲＡＭ（Random Access Memory）等を備える。制御部３１のＣＰＵは、ＲＯＭから処理内容に応じたプログラムを読み出してＲＡＭに展開し、展開したプログラムと協働して、本体部２から送信される制御信号に基づいて、画像読取装置３の各ブロックの動作を集中制御する。本実施形態において、制御部３１は、図６に示す切り替え制御処理を実行し、画像読取装置３内の各部の配置を図３（ａ）に示す第１の配置又は図３（ｂ）に示す第２の配置に切り替え制御する。
ここで、第１の配置は、読取部３２が連帳紙Ｐの画像の読み取りを行う際の配置であり、読取位置ＲＰ（用紙搬送方向において読取部３２の光軸と交わる位置。図４参照。）において連帳紙Ｐが読取部３２に直接対向する。第２の配置は、読取部３２の校正を行うときの配置であり、連帳紙Ｐが読取部３２から離隔して、読取位置ＲＰにおいて校正部材３８が読取部３２と連帳紙Ｐとの間に位置して読取部３２と直接対向する。
【００３６】
読取部３２は、光源３２１、レンズ３２２、ＣＣＤラインセンサー３２３等を備えて構成され、本体部２から読取位置ＲＰに搬送された連帳紙Ｐを光学的に走査し、連帳紙Ｐからの反射光をレンズ３２２によりＣＣＤラインセンサー３２３の受光面上に結像させて光電変換して読取画像を生成する。
【００３７】
読取部３２の用紙搬送方向上流側と下流側には、図３（ａ）、（ｂ）に示すように、押し当て部材３２４ａ（第１の押し当て部材）、押し当て部材３２４ｂ（第２の押し当て部材）が備えられている。押し当て部材３２４ａ、３２４ｂは、読取部３２の読取面ＲＳ（読取位置ＲＰにおいてレンズ３２２のピントが合っている面。読取部３２が最も鮮明に読取可能な面）と平行に配置され、第１の配置の状態において、読取部３２側から連帳紙Ｐにテンションをかけることにより、読取位置ＲＰを通過する連帳紙Ｐの読取部３２側の紙面を読取部３２による読取面ＲＳに位置させる。
押し当て部材３２４ａ、３２４ｂとしては、例えば、用紙搬送方向に直交する方向（主走査方向）に延在するコロ、ローラー、棒状の部材等が適用可能である。押し当て部材３２４ａ、３２４ｂの材質は、特に限定されず、例えば、金属やゴム等が適用可能である。
【００３８】
用紙搬送部３３は、図３（ａ）、（ｂ）に示すように、例えば、搬送ローラー等からなる複数の搬送部材３３１〜３３９を備え、本体部２から搬送された連帳紙Ｐを用紙搬送経路に沿って搬送する。搬送部材３３１〜３３９は、この順に用紙搬送方向上流側から下流側に並んでいる。
第１の配置においては、図４に示すように、用紙搬送方向上流側の押し当て部材３２４ａに隣接する搬送部材３３４は、当該搬送部材３３４が連帳紙Ｐと接する位置が押し当て部材３２４ａが連帳紙Ｐと接する位置よりも読取面ＲＳから離れた側となるように位置している。同様に、下流側の押し当て部材３２４ｂに隣接する搬送部材３３５は、当該搬送部材３３５が連帳紙Ｐと接する位置が押し当て部材３２４ｂが連帳紙Ｐと接する位置よりも読取面ＲＳから離れた側となるように位置している。この構成により、搬送部材３３４が押し当て部材３２４ａよりも読取面ＲＳから離れた側に位置することができ、読取位置ＲＰにおいて連帳紙Ｐにテンションを与え、紙の厚さによらず紙面を読取面ＲＳに位置させることができ、精度の高い読み取りが可能となる。
【００３９】
また、搬送部材３３３〜３３７は、駆動部３４の同一駆動源により読取面ＲＳと垂直な方向に移動可能に構成され、可動部３３０を構成している（図３（ｂ）参照）。
【００４０】
駆動部３４は、搬送部材３３１〜３３９を回転させるとともに、可動部３３０の搬送部材３３３〜３３７及び背景部材３９を読取面ＲＳと垂直な方向に、校正部材３８を読取面ＲＳと平行な方向に移動させるための駆動源（モーター等）や駆動源の出力軸に連結されたギア等を備えて構成される。可動部３３０及び背景部材３９は、同一駆動源により読取面ＲＳと垂直な方向に移動されることが好ましい。異なる駆動源とすると、それぞれの動作を合わせることが必要となるからである。駆動部３４により、可動部３３０の搬送部材３３３〜３３７及び背景部材３９を読取面ＲＳと垂直な方向に移動させ、校正部材３８を読取面ＲＳと平行な方向に移動させることにより、画像読取装置３内の配置を図３（ａ）に示す第１の配置と図３（ｂ）に示す第２の配置との間で切り替えることができる。
校正部材３８は、読取部３２の校正時に使用される表面が白色の板状の部材である。背景部材３９は、連帳紙Ｐの読取時に反射板として用いられる表面が白色の板状の部材である。
【００４１】
ここで、図３（ａ）、（ｂ）を参照して、第１の配置と第２の配置の切り替えについて説明する。
図３（ａ）に示す第１の配置において、読取部３２は、用紙搬送経路において搬送部材３３４と３３５との間に位置している。搬送部材３３１、３３２、３３４、３３５、３３８、３３９は、読取面ＲＳの近傍に、略読取面ＲＳと平行に並んで配置されている。搬送部材３３３、３３６、３３７は、読取面ＲＳから離れた位置に、読取面ＲＳと平行に並んで配置されている。この搬送部材３３１〜３３９の配置により、連帳紙Ｐは、読取位置ＲＰにおいて読取部３２と直接対向するように搬送されるようになっている。また、読取部３２に対して用紙搬送方向下流側の用紙搬送経路（搬送部材３３５〜３３８の間の経路）にはコの字状の凹みが設けられている。この凹みには、読取面ＲＳと平行に校正部材３８が配置されており、この凹みにより校正部材３８と読取面ＲＳとの間に連帳紙Ｐが搬送されるのを回避して連帳紙Ｐが搬送されるようになっている。なお、この凹み及び校正部材３８を読取部３２に対して用紙搬送方向上流側に設けることとしてもよい。また、連帳紙Ｐを挟んで読取部３２に対向する位置には、背景部材３９が配置され、搬送されてきた連帳紙Ｐ上の画像を背景部材３９を背景に読み取ることができるようになっている。
【００４２】
図３（ａ）に示す第１の配置から図３（ｂ）に示す第２の配置に切り替える際、制御部３１は、駆動部３４により可動部３３０の搬送部材３３３〜３３７及び背景部材３９を読取面ＲＳの垂直方向に移動させて読取面ＲＳ（読取部３２）から離隔させる。次いで、駆動部３４により校正部材３８を読取位置ＲＰまで平行移動させ校正部材３８を読取部３２に直接対向させる。
【００４３】
図３（ｂ）に示す第２の配置から図３（ａ）に示す第１の配置に切り替える際、制御部３１は、駆動部３４により校正部材３８を平行移動させ校正部材３８を搬送部材３３５と３３８の間に配置する。次いで、駆動部３４により可動部３３０の搬送部材３３３〜３３７及び背景部材３９を第２の配置に切り替えるときと逆側に（読取面ＲＳに近づく方向に）移動させて第１の配置に戻す。
【００４４】
第１の配置と第２の配置を切り替える際、制御部３１は、読取部３２（読取面ＲＳ）に近い側の搬送部材３３４と３３５（読取面ＲＳからの距離が第１の距離である搬送部材３３４、３３５）は同一速度で２Ｓの距離を移動させ、読取部３２（読取面ＲＳ）に遠い側の搬送部材３３３、３３６、３３７（読取面ＲＳからの距離が第２の距離（第１の距離＜第２の距離）である搬送部材３３３、３３６、３３７）は、搬送部材３３４、３３５の１／２の速度でＳの距離を移動させる。
【００４５】
ここで、第１の配置における可動部３０の用紙搬送方向上流側に隣接する搬送部材３３２〜可動部３０の用紙搬送方向下流側に隣接する搬送部材３３８までの搬送経路全長をＬ、搬送部材３３２〜３３３の長さＬ１、搬送部材３３３〜３３４の長さＬ２、搬送部材３３４〜３３５の長さＬ３、搬送部材３３５〜３３６の長さＬ４、搬送部材３３６〜３３７の長さＬ５、搬送部材３３７〜３３８の長さＬ６とすると、
Ｌ＝Ｌ１＋Ｌ２＋Ｌ３＋Ｌ４＋Ｌ５＋Ｌ６
第２の配置（又は、搬送中）の搬送部材３３２〜３３８までの搬送経路全長をＬ´、搬送部材３３２〜３３３の長さＬ１´、搬送部材３３３〜３３４の長さＬ２´、搬送部材３３４〜３３５の長さＬ３´、搬送部材３３５〜３３６の長さＬ４´、搬送部材３３６〜３３７の長さＬ５´、搬送部材３３７〜３３８の長さＬ６´とすると、
Ｌ´＝Ｌ１´＋Ｌ２´＋Ｌ３´＋Ｌ４´＋Ｌ５´＋Ｌ６´
ここで、
Ｌ１´＝Ｌ１＋Ｓ、Ｌ２´＝Ｌ２＋Ｓ−２Ｓ＝Ｌ２−Ｓ、Ｌ３´＝Ｌ３、Ｌ４´＝Ｌ４＋Ｓ−２Ｓ＝Ｌ４−Ｓ、Ｌ５´＝Ｌ５、Ｌ６´＝Ｌ６＋Ｓ、であるから、
Ｌ´＝Ｌ１＋Ｓ＋Ｌ２−Ｓ＋Ｌ３＋Ｌ４−Ｓ＋Ｌ５＋Ｌ６＋Ｓ
＝Ｌ１＋Ｌ２＋Ｌ３＋Ｌ４＋Ｌ５＋Ｌ６＝Ｌ
すなわち、読取部３２（読取面ＲＳ）に近い側の搬送部材３３４と３３５は同一速度で２Ｓの距離を移動させ、読取部３２（読取面ＲＳ）に遠い側の搬送部材３３３、３３６、３３７は、搬送部材３３４、３３５の１／２の速度でＳの距離を移動させることで、第１の配置と第２の配置との切り替え開始から切り替え終了までの間においても、少なくとも可動部３３０の用紙搬送方向上流側に隣接する搬送部材から可動部３３０の用紙搬送方向下流側に隣接する搬送部材までの用紙経路長を略同一とすることができる。
【００４６】
連帳紙Ｐを用いた画像形成装置１００において、途中で用紙経路長が変わると用紙のテンションが変わってしまい、用紙が破れるか、或いは用紙を上流側又は下流側に引っ張る必要がでてきて上下流の装置に悪影響が出る。本実施形態の画像読取装置３では、用紙搬送経路を動かす第１の配置と第２の配置との切り替え開始から切り替え終了までの間においても、可動部３３０の用紙搬送方向上流側に隣接する搬送部材から可動部３３０の用紙搬送方向下流側に隣接する搬送部材までの用紙経路長が略同一となるように制御する（すなわち、用紙搬送経路全体の用紙経路長が変化しない）ので、上下流の装置に悪影響を及ぼすことなく、第１の配置と第２の配置の切り替えを行うことが可能となる。
【００４７】
なお、図３（ａ）、（ｂ）においては、可動部３３０の搬送部材３３３〜３３７及び背景部材３９を読取面ＲＳと垂直方向に移動させる場合を例示しているが、可動部３３０の搬送部材３３３〜３３７及び背景部材３９の移動方向は、図５に示すように斜め方向としてもよく、垂直方向に限定されない。ただし、可動部３３０の搬送部材３３３〜３３７及び背景部材３９の移動方向は、画像読取装置３の正面方向から見た断面で考えた場合、図４に示すように、第１の配置において、搬送部材３３４と押し当て部材３２４ａの共通内接線のうち押し当て部材３２４ａの先端側（読取面ＲＳに近い側）に延びる接線Ｔ１の方向と、搬送部材３３５と押し当て部材３２４ｂの共通内接線のうち押し当て部材３２４ｂの先端側（読取面ＲＳに近い側）に延びる接線Ｔ２の方向との間の方向（例えば、図４に示す矢印等の方向。接線方向は含まない。）であることが好ましい。この範囲内の方向に移動させることで、搬送部材３３４、３３５が押し当て部材３２４ａ、３２４ｂや読取部３２とぶつかる（干渉する）ことを回避することが可能となる。
【００４８】
記憶部３５は、不揮発メモリー等により構成され、読取部３２で読み取った読取画像や、読取部３２の校正値等を記憶する。
【００４９】
通信Ｉ／Ｆ部３６は、給紙装置１、画像読取装置３、巻き取り装置４に接続するための通信インターフェースを有する。
【００５０】
巻き取り装置４は、画像読取装置３から搬送されてきた連帳紙Ｐを、複数の搬送ローラー対（例えば、繰り出しローラー、排紙ローラー）を経由して、一定の速度で支持軸Ｙに巻き取る装置である。巻き取り装置４の巻き取り動作は、本体部２が備える制御部２１によって制御される。
【００５１】
（画像読取装置３の動作）
次に、画像読取装置３の動作について説明する。
【００５２】
図６は、制御部３１により実行される切り替え制御処理を示すフローチャートである。切り替え制御処理は、本体部２からプリント動作（連帳紙Ｐの搬送）の開始信号を受信した際に実行される。
【００５３】
まず、制御部３１は、駆動部３４により用紙搬送部３３の搬送部材３３１〜３３９を回転させ、連帳紙Ｐの搬送開始する（ステップＳ１）。
【００５４】
次いで、制御部３１は、駆動部３４により可動部３３０の搬送部材３３３〜３３７、校正部材３８、背景部材３９を第２の配置に移動させる（ステップＳ２）。
すなわち、制御部３１は、駆動部３４により可動部３３０の搬送部材３３３〜３３７及び背景部材３９を読取面ＲＳの垂直方向に移動させて読取面ＲＳ（読取部３２）から離隔させる。次いで、駆動部３４により校正部材３８を読取位置ＲＰまで平行移動させ校正部材３８を読取部３２に直接対向させる。
【００５５】
第２の配置への移動が完了すると（ステップＳ３；ＹＥＳ）、制御部３１は、読取部３２により校正部材３８を読み取らせる（ステップＳ４）。
【００５６】
次いで、制御部３１は、読取部３２により読み取られた読取画像に基づいて校正値を算出する校正処理を行い、校正処理が完了すると（ステップＳ５；ＹＥＳ）、駆動部３４により可動部３３０の搬送部材３３３〜３３７、校正部材３８、背景部材３９を第１の配置に移動させる（ステップＳ６）。
すなわち、制御部３１は、駆動部３４により校正部材３８を平行移動させ校正部材３８を搬送部材３３５と３３８の間に配置する。次いで、駆動部３４により可動部３３０の搬送部材３３３〜３３７及び背景部材３９を第２の配置に切り替えるときと逆側に（読取面ＲＳに近づく方向に）移動させて連帳紙Ｐを読取部３２に直接対向させる。
【００５７】
第１の配置への移動が完了すると（ステップＳ７；ＹＥＳ）、制御部３１は、連帳紙Ｐの色に基づいて、背景部材３９を移動させるか否かを判断する（ステップＳ８）。
ここで、図７（ａ）に示すように、背景部材３９が読取面ＲＳの近傍に位置する場合、読取部３２により用紙を読み取ると、光源３２１から照射された光が背景部材３９の白に反射して背景が白い読取画像が得られる。図７（ｂ）に示すように、背景部材３９が読取面ＲＳから所定距離以上離れて位置する場合、読取部３２により用紙を読み取ると、光源から照射された光反射がなく、背景が黒い読取画像が得られる。そこで、制御部３１は、搬送している連帳紙Ｐの用紙の色が白に近い所定の範囲の色の場合は、背景部材３９を読取面ＲＳから所定距離以上離れた位置に移動させると判断し、連帳紙Ｐの用紙の色が黒に近い所定の範囲の色の場合は、背景部材３９を移動させないと判断する。これにより、用紙のエッジを背景から際立たせることができ、読取画像に基づく用紙の位置調整が容易となる。なお、図７（ａ）、（ｂ）においては、押し当て部材３２４ａ、３２４ｂを省略している。
【００５８】
背景部材３９を移動させると判断した場合（ステップＳ８；ＹＥＳ）、制御部３１は、駆動部３４により背景部材３９を読取面ＲＳから所定距離以上離れた位置に移動させ（ステップＳ９）、ステップＳ１０に移行する。背景部材３９を移動させないと判断した場合（ステップＳ８；ＮＯ）、制御部３１は、ステップＳ１０に移行する。
【００５９】
ステップＳ１０において、制御部３１は、読取部３２により連帳紙Ｐを読み取らせ（ステップＳ１０）、得られた読取画像を通信Ｉ／Ｆ３６を介して本体部２に送信する（ステップＳ１１）。
本体部２においては、画像読取装置３から送信されてくる読取画像に基づいて、画像の色、位置、倍率等の補正値を算出し、画像形成にフィードバックする。
【００６０】
次いで、制御部３１は、本体部２におけるプリントが終了したか否かを判断する（ステップＳ１２）。
本体部２におけるプリントが終了していないと判断した場合（ステップＳ１２；ＮＯ）、制御部３１は、ステップＳ１０に戻る。
本体部２におけるプリントが終了したと判断した場合（ステップＳ１２；ＹＥＳ）、制御部３１は、切り替え制御処理を終了する。
【００６１】
上述のように、画像読取装置３においては、読取部３２と連帳紙Ｐが直接対向する第１の配置と、読取部３２と校正部材３８が直接対向する第２の配置とを、用紙搬送経路長を変えることなく切り替えることができるので、プリント開始後に連帳紙Ｐを搬送しつつ第１の配置と第２の配置の切り替えが可能である。そして、切り替え制御処理においては、制御部３１は、プリント動作を開始して連帳紙Ｐを搬送しながら第１の配置と第２の配置の切り替え制御を行う。ここで、連帳紙Ｐのプリントを開始する前に校正を実施すると、余計な時間がかかってしまうが、連帳紙Ｐでのプリントの開始時、連帳紙Ｐの先頭は画像が形成されていない白紙であり、切り替え制御処理では、この白紙が画像読取装置３を通過しているプリント開始時に校正部材３８の読み取りを実施するので、校正にかかる余計な時間を短縮することができ、効率よくプリント及び校正を行うことが可能となる。
【００６２】
以上説明したように、画像読取装置３によれば、制御部３１は、搬送部材３３３〜３３７及び校正部材３８を移動させることにより、読取位置ＲＰにおいて、連帳紙Ｐが読取部３２に直接対向する第１の配置と、連帳紙Ｐが読取部３２から離隔し校正部材３８が読取部３２と連帳紙Ｐとの間に位置して読取部３２に直接対向する第２の配置と、を切り替え制御する。また、読取部３２の連帳紙Ｐの搬送方向上流側と下流側に、読取部３２の読取面ＲＳと平行に配置され、第１の配置の状態において読取部３２側から連帳紙Ｐにテンションをかけて読取位置ＲＰを通過する連帳紙Ｐの読取部３２側の紙面を読取面ＲＳに位置させる押し当て部材３２４ａ、３２４ｂを備える。
したがって、連帳紙Ｐを用いる場合であっても、読取部３２に校正部材３８を直接対向させることが可能となるので、読取部３２の校正が可能となる。また、押し当て部材３２４ａ、３２４ｂにより連帳紙Ｐにテンションをかけて読取位置ＲＰにおいて連帳紙Ｐを読取面ＲＳに位置させるので、連帳紙Ｐ形成された画像を高精度に読み取ることが可能となる。
【００６３】
また、第１の配置において、押し当て部材３２４ａ、３２４ｂに隣接する搬送部材３３４、３３５が読取面ＲＳに対して押し当て部材３２４ａ、３２４ｂと同じ側に位置し、かつ押し当て部材３２４ａ、３２４ｂに隣接する搬送部材３３４、３３５の連帳紙Ｐに接する位置が押し当て部材３２４ａ、３２４ｂの連帳紙Ｐに接する位置よりも読取面ＲＳから離れた側に位置するように構成されている。
したがって、読取位置ＲＰにおいて連帳紙Ｐに確実にテンションをかけることができ、連帳紙Ｐの厚さによらず、紙面を読取面ＲＳに配置することができ、連帳紙Ｐ形成された画像をより高精度に読み取ることが可能となる。
【００６４】
また、制御部３１は、第１の配置から第２の配置に切り替える際に、搬送部材３３３〜３３７の移動方向が、第１の配置において、押し当て部材３２４ａに隣接する搬送部材３３４と押し当て部材３２４ａの共通内接線のうち押し当て部材３２４ａの先端側に延びる接線Ｔ１の方向と、押し当て部材３２４ｂに隣接する搬送部材３３５と押し当て部材３２４ｂの共通内接線のうち押し当て部材３２４ｂの先端側に延びる接線Ｔ２の方向との間の方向となるように制御する。
したがって、第１の配置と第２の配置とを切り替える際に、搬送部材３３４（３３５）と押し当て部材３２４ａ（３２４ｂ）がぶつからない（干渉しない）ようにすることができる。
【００６５】
また、複数の移動可能な搬送部材３３３〜３３７は可動部３３０を構成し、可動部３３０の全ての搬送部材は、同一方向に移動可能に構成されているので、制御を容易にすることができる。
【００６６】
また、制御部３１は、第１の配置と第２の配置との切り替え開始から終了までの間、少なくとも可動部３３０に対して連帳紙Ｐの搬送方向上流側に隣接する搬送部材３３２から可動部３３０に対して連帳紙Ｐの搬送方向下流側に隣接する搬送部材３３８までの用紙経路長が略同一となるように、可動部３３０内の搬送部材３３３〜３３７を移動させる。例えば、読取面ＲＳからの距離が第１の距離である搬送部材３３４、３３５の移動量が、搬送部材３３３、３３６、３３７の移動量の２倍となるように制御する。
したがって、上下流の装置に悪影響を及ぼすことなく、第１の配置と第２の配置の切り替えを行うことが可能となる。
【００６７】
また、制御部３１は、用紙搬送部３３により連帳紙Ｐを搬送しながら第１の配置と第２の配置を切り替える。
したがって、連帳紙Ｐを用いたプリント動作中に校正を行うことができ、プリントが終了するまでの時間を短縮することが可能となる。
【００６８】
また、校正部材３８は、第１の配置において読取部３２に対して搬送方向上流側又は下流側に読取面ＲＳと平行に配置され、制御部３１は、第１の配置の状態から搬送部材３３３〜３３７を移動させて連帳紙Ｐを読取部３２から離隔させた後、校正部材３８を読取部３２と対向する位置に平行移動させることにより第２の配置に切り替える。したがって、簡単な構成で校正部材３８を移動させることができる。
【００６９】
また、第１の配置において連帳紙Ｐを介して読取部３２と対向する位置に配置される白色の背景部材３９を備え、背景部材３９と連帳紙Ｐとの距離は可変可能に構成されている。したがって、連帳紙Ｐと背景部材３９との距離を近づけることにより、連帳紙Ｐの背景を白として読み取ることができ、連帳紙Ｐと背景部材３９との距離を遠ざけることにより、連帳紙Ｐの背景を黒として読み取ることができるので、各色の連帳紙Ｐのエッジを認識しやすくすることができる。
【００７０】
なお、上記した実施形態は本発明の好適な一例であり、これに限定されない。
例えば、上記実施形態においては、画像読取装置３が９個の搬送部材を備えた例について説明したが、これに限定されるものではない。
また、連帳紙Ｐの位置の補正は、例えば、本体部２に備えられたセンサー等により行ってもよく、この場合は、背景部材３９は備えていなくても構わない。
【００７１】
また、例えば、上記した実施形態では、画像形成装置１００が、感光体上のトナー像を転写体に順次転写するカラー画像形成装置であるものとしたが、各色毎の複数像担持体を中間転写体上に直列配置させたタンデム型カラー画像形成装置であっても良いし、単色のトナーで画像形成を行うモノクロ画像形成装置であっても良い。
【００７２】
その他、画像形成装置の細部構成及び細部動作に関しても、本発明の趣旨を逸脱することのない範囲で適宜変更可能である。
【符号の説明】
【００７３】
１００      画像形成装置
１  給紙装置
２  本体部
２１  制御部
２２  画像処理部
２３  画像形成部
２４  用紙搬送部
２５  記憶部
２６  操作表示部
２７  通信部
２８  通信Ｉ／Ｆ部
２９  バス
３  画像読取装置
３１  制御部
３２  読取部
３３  用紙搬送部
３４  駆動部
３５  記憶部
３６  通信Ｉ／Ｆ部
３７  バス
【図１】
2020061623.tif 000003
【図２】
2020061623.tif 000004
【図３】
2020061623.tif 000005
【図４】
2020061623.tif 000006
【図５】
2020061623.tif 000007
【図６】
2020061623.tif 000008
【図７】
2020061623.tif 000009